(57)【要約】【課題】媒体の分離集積部を小型化することを可能とする技術が提供されることが望まれる。分離集積部の小型化の例として、フィードローラおよび分離ローラの少なくともいずれか一方の径を小さくする技術が提供されることが望まれる。【解決手段】第１の回転軸に軸支され、媒体を１枚ずつ分離して送り出す分離ローラと、前記第１の回転軸の外周面に設けられ、１または複数の羽根によって前記媒体を叩いて媒体集積部に前記媒体を集積させる羽根車と、前記羽根車と対向する位置を避けて配置された第２の回転軸に軸支され、前記分離ローラと対向する位置に設けられたフィードローラと、を備える、媒体処理装置が提供される。【選択図】図３
2018190330.tif 000002
【特許請求の範囲】
【請求項１】
第１の回転軸に軸支され、媒体を１枚ずつ分離して送り出す分離ローラと、
前記第１の回転軸の外周面に設けられ、１または複数の羽根によって前記媒体を叩いて媒体集積部に前記媒体を集積させる羽根車と、
前記羽根車と対向する位置を避けて配置された第２の回転軸に軸支され、前記分離ローラと対向する位置に設けられたフィードローラと、
を備える、媒体処理装置。
【請求項２】
前記媒体処理装置は、
第３の回転軸の回転駆動力を前記第２の回転軸に伝達する駆動伝達手段を備える、
請求項１に記載の媒体処理装置。
【請求項３】
前記媒体処理装置は、
前記媒体集積部に集積された前記媒体を繰り出す繰り出し部を備える、
請求項２に記載の媒体処理装置。
【請求項４】
前記繰り出し部は、前記第３の回転軸に軸支されたピッカローラを含む、
請求項３に記載の媒体処理装置。
【請求項５】
前記繰り出し部は、前記駆動伝達手段の外周面の一部または全部を含む、
請求項３に記載の媒体処理装置。
【請求項６】
前記媒体処理装置は、
前記媒体を搬送する搬送部を備える、
請求項２に記載の媒体処理装置。
【請求項７】
前記搬送部は、前記第２の回転軸に設けられた搬送ローラを含む、
請求項６に記載の媒体処理装置。
【請求項８】
前記搬送部は、前記駆動伝達手段の外周面の一部または全部を含む、
請求項６に記載の媒体処理装置。
【請求項９】
前記フィードローラは、前記分離ローラとの間で前記媒体を挟持しながら前記媒体を送り出す、
請求項１に記載の媒体処理装置。
【請求項１０】
前記第２の回転軸は、複数に分割されており、
前記フィードローラは、複数に分割された前記第２の回転軸それぞれに軸支されている、
請求項１に記載の媒体処理装置。
【請求項１１】
前記第２の回転軸は、走行ガイドに固定されている、
請求項１に記載の媒体処理装置。
【請求項１２】
第１の回転軸に軸支され、紙幣を１枚ずつ分離して送り出す分離ローラと、
前記第１の回転軸の外周面に設けられた１または複数の羽根を有し、前記１または複数の羽根によって前記紙幣を叩いて紙幣集積部に前記紙幣を集積させる羽根車と、
前記羽根車と対向する位置を避けて配置された第２の回転軸に軸支され、前記分離ローラと対向する位置に設けられたフィードローラと、
を備える、現金処理装置。
【発明の詳細な説明】
【技術分野】
【０００１】
本発明は、媒体処理装置および現金処理装置に関する。
【背景技術】
【０００２】
近年、媒体を処理する媒体処理装置が存在する。一般に、媒体処理装置は、媒体を集積するための構成と、集積された媒体を分離するための構成とを有している（例えば、特許文献１参照）。以下、これらの構成を合わせて「分離集積部」とも言う。より具体的に、分離集積部は、媒体の分離時および集積時に決められた位置に動くステージ、ステージに媒体を集積させるための羽根車、媒体を繰り出すためのピッカローラ、繰り出された媒体を送り出すためのフィードローラおよび分離ローラなどを有している。
【０００３】
一般に、羽根車は、回転動作によって媒体後端を叩いてステージに媒体を集積させる。これによって、次に分離集積部に搬送されてくる媒体の集積空間がより確実に確保され得る。羽根車が媒体後端をより確実に叩くことを可能として媒体の集積性能を確保するために、分離集積部は、羽根車が回転動作中にピッカローラおよびフィードローラなどの機構部品に接触しないように構成されている。
【先行技術文献】
【特許文献】
【０００４】
【特許文献１】特開２００７−２７６９８１号公報
【発明の概要】
【発明が解決しようとする課題】
【０００５】
しかしながら、分離集積部を小型化するために、羽根車の回転径を変えずに羽根車とフィードローラを軸支するシャフトを近づけた場合、媒体の集積時に羽根車が回転動作を行うと、羽根車が回転動作中にフィードローラを軸支するシャフトに接触してしまうおそれがある。羽根車がフィードローラを軸支するシャフトに接触した場合、羽根車が媒体後端を叩く性能が低下して媒体の集積性能が低下してしまうおそれがある。
【０００６】
分離集積部の小型化の例として、フィードローラおよび分離ローラの少なくともいずれか一方の径を小さくすることが想定される。しかし、フィードローラと分離ローラとが接する必要があるために、フィードローラおよび分離ローラの少なくともいずれか一方の径を小さくした場合、分離ローラと同軸上にある羽根車とフィードローラを軸支するシャフトとが近づいてしまい、羽根車が回転動作中にフィードローラを軸支するシャフトに接触してしまうおそれがある。
【０００７】
そこで、媒体の分離集積部を小型化することを可能とする技術が提供されることが望まれる。分離集積部の小型化の例として、フィードローラおよび分離ローラの少なくともいずれか一方の径を小さくする技術が提供されることが望まれる。
【課題を解決するための手段】
【０００８】
上記問題を解決するために、本発明のある観点によれば、第１の回転軸に軸支され、媒体を１枚ずつ分離して送り出す分離ローラと、前記第１の回転軸の外周面に設けられ、１または複数の羽根によって前記媒体を叩いて媒体集積部に前記媒体を集積させる羽根車と、前記羽根車と対向する位置を避けて配置された第２の回転軸に軸支され、前記分離ローラと対向する位置に設けられたフィードローラと、を備える、媒体処理装置が提供される。
【０００９】
前記媒体処理装置は、第３の回転軸の回転駆動力を前記第２の回転軸に伝達する駆動伝達手段を備えてもよい。
【００１０】
前記媒体処理装置は、前記媒体集積部に集積された前記媒体を繰り出す繰り出し部を備えてもよい。
【００１１】
前記繰り出し部は、前記第３の回転軸に軸支されたピッカローラを含んでもよい。
【００１２】
前記繰り出し部は、前記駆動伝達手段の外周面の一部または全部を含んでもよい。
【００１３】
前記媒体処理装置は、前記媒体を搬送する搬送部を備えてもよい。
【００１４】
前記搬送部は、前記第２の回転軸に設けられた搬送ローラを含んでもよい。
【００１５】
前記搬送部は、前記駆動伝達手段の外周面の一部または全部を含んでもよい。
【００１６】
前記フィードローラは、前記分離ローラとの間で前記媒体を挟持しながら前記媒体を送り出してもよい。
【００１７】
前記第２の回転軸は、複数に分割されており、前記フィードローラは、複数に分割された前記第２の回転軸それぞれに軸支されていてもよい。
【００１８】
前記第２の回転軸は、走行ガイドに固定されていてもよい。
【００１９】
また、本発明の別の観点によれば、第１の回転軸に軸支され、紙幣を１枚ずつ分離して送り出す分離ローラと、前記第１の回転軸の外周面に設けられた１または複数の羽根を有し、前記１または複数の羽根によって前記紙幣を叩いて紙幣集積部に前記紙幣を集積させる羽根車と、前記羽根車と対向する位置を避けて配置された第２の回転軸に軸支され、前記分離ローラと対向する位置に設けられたフィードローラと、を備える、現金処理装置が提供される。
【発明の効果】
【００２０】
以上説明したように本発明によれば、媒体の分離集積部を小型化することを可能とする技術が提供される。また、本発明によれば、分離集積部の小型化の例として、フィードローラおよび分離ローラの少なくともいずれか一方の径を小さくすることを可能とする技術が提供される。
【図面の簡単な説明】
【００２１】
【図１】本発明の一実施形態に係る現金処理装置の外観斜視図である。
【図２】同実施形態に係る現金処理装置の機能構成例を示すブロック図である。
【図３】第１の実施形態に係る現金処理装置の紙幣処理装置が有する分離集積部の斜視図である。
【図４】第１の実施形態に係る分離集積部の上面図である。
【図５】第１の実施形態に係る分離集積部の側面図である。
【図６】第２の実施形態に係る現金処理装置の紙幣処理装置が有する分離集積部の斜視図である。
【図７】第２の実施形態に係る分離集積部の上面図である。
【図８】第２の実施形態に係る分離集積部の側面図である。
【図９】比較例に係る分離集積部の斜視図である。
【図１０】比較例に係る分離集積部の上面図である。
【図１１】比較例に係る分離集積部の側面図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
また、本明細書および図面において、実質的に同一の機能構成を有する複数の構成要素を、同一の符号の後に異なる数字を付して区別する場合がある。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する場合がある。ただし、異なる実施形態の類似する構成要素等の各々を特に区別する必要がない場合、同一符号のみを付する。
【００２４】
（０．概要）
まず、本実施形態に係る現金処理装置の概要について説明する。図１は、本実施形態に係る現金処理装置の外観斜視図である。図１に示した例において、現金処理装置１００は、例えば、スーパーマーケットおよびコンビニエンスストアなどの小売店、ディスカウントショップなどの大型量販店などの精算所に設置されたレジスタやＰＯＳ（Ｐｏｉｎｔ  Ｏｆ  Ｓａｌｅｓ）用レジスタなどに接続された現金釣銭機である。この現金処理装置１００は、硬貨処理装置３００と、紙幣処理装置２００と、表示部２２１と、操作部２２２とを有している。
【００２５】
硬貨処理装置３００は、現金処理装置１００の幅方向（現金処理装置１００の前面に向かって左右方向）の左側約半分に設けられ、硬貨の入出金を管理するものである。硬貨処理装置３００は、装置の前方に、硬貨入金口３１０、硬貨出金口３２０およびリジェクト口３３０を有している。硬貨入金口３１０には、操作者により入金硬貨が投入される。硬貨出金口３２０には、装置内から出金硬貨が排出される。リジェクト口３３０は、リジェクト硬貨が排出される。
【００２６】
なお、本実施形態においては、現金処理装置１００が硬貨処理装置３００を有する例を主に説明する。しかし、現金処理装置１００は、何らかの媒体を処理する媒体処理装置を有していてもよい。すなわち、媒体処理装置は、硬貨処理装置３００による硬貨の処理と同様にして硬貨を処理してもよいし、硬貨処理装置３００による硬貨の処理と同様に硬貨以外の媒体を処理してもよい。
【００２７】
紙幣処理装置２００は、現金処理装置１００の幅方向の右側約半分に設けられ、紙幣の入出金を管理するものである。紙幣処理装置２００は、装置の前方に、紙幣入出金口に対して開閉可能なシャッタ２３２を有する。操作者は、シャッタ２３２を開けた状態で、紙幣入出金口に入金紙幣を投入し、または、紙幣入出金口に排出された出金紙幣を取り出す。
【００２８】
なお、本実施形態においては、現金処理装置１００が紙幣処理装置２００を有する例を主に説明する。しかし、現金処理装置１００は、何らかの媒体を処理する媒体処理装置を有していてもよい。すなわち、媒体処理装置は、紙幣処理装置２００による紙幣の処理と同様にして紙幣を処理してもよいし、紙幣処理装置２００による紙幣の処理と同様に紙幣以外の媒体を処理してもよい。
【００２９】
表示部２２１は、例えば、液晶ディスプレイで構成され、メニュー画面などを表示するものである。また、表示部２２１は、現金処理装置１００の状態を示す情報を表示するものである。表示部２２１は、紙幣処理装置２００の前方上面において操作部２２２の隣に設けられている。
【００３０】
操作部２２２は、キーおよびボタンなどを有しており、操作者の操作を受け付けるものである。例えば、操作者は、操作部２２２により、表示部２２１に表示された選択画面にて所望の項目を選択する。操作部２２２は、紙幣処理装置２００の前方上面に配置されている。
【００３１】
現金処理装置１００には、現金処理装置１００の全体動作を制御する制御ユニットが設けられている。この制御ユニットは、現金処理装置１００の構成要素を制御する制御部と、制御部が実行するプログラム等を記憶する記憶部とを有している。
【００３２】
なお、現金処理装置１００は、硬貨処理装置３００および紙幣処理装置２００を含むものとしたが、これに限定されることなく、例えば現金処理装置１００は、硬貨処理装置３００のみを有するものであってもよい。また、現金処理装置１００は、レジスタなどに接続された現金釣銭機であることとしたが、これに限定されることなく、例えば、現金処理装置１００は、金融機関の営業店等に設けられたＡＴＭ（Ａｕｔｏｍａｔｅｄ  ｔｅｌｌｅｒ  ｍａｃｈｉｎｅ）に代表される自動取引装置に備えられるものであってもよい。
【００３３】
図２は、本実施形態に係る現金処理装置１００の機能構成例を示すブロック図である。図２に示すように、現金処理装置１００は、制御部１６０、記憶部１７０、通信部１８０、操作表示部２２０、紙幣入出金部２３０および硬貨入出金部３４０を備える。
【００３４】
制御部１６０は、ＣＰＵ（Ｃｅｎｔｒａｌ  Ｐｒｏｃｅｓｓｉｎｇ  Ｕｎｉｔ）などを含み、記憶部１７０により記憶されているプログラムがＣＰＵによりＲＡＭ（Ｒａｎｄｏｍ  Ａｃｃｅｓｓ  Ｍｅｍｏｒｙ）に展開されて実行されることにより、その機能が実現され得る。このとき、当該プログラムを記録した、コンピュータに読み取り可能な記録媒体も提供され得る。あるいは、制御部１６０は、専用のハードウェアにより構成されていてもよいし、複数のハードウェアの組み合わせにより構成されてもよい。
【００３５】
記憶部１７０は、制御部１６０を動作させるためのプログラムおよびデータを記憶することが可能な記憶装置である。また、記憶部１７０は、制御部１６０の動作の過程で必要となる各種データを一時的に記憶することもできる。例えば、記憶装置は、不揮発性の記憶装置であってよい。
【００３６】
通信部１８０は、ネットワーク５００を介してホストコンピュータ４００との間で通信を行うための通信インタフェースである。本実施形態においては、通信部１８０が有線による通信を行う場合を主に想定するが、通信部１８０は、無線による通信を行ってもよい。
【００３７】
その他、操作表示部２２０は、上記した表示部２２１および上記した操作部２２２に相当する。紙幣入出金部２３０は、紙幣の入出金処理を行う機能を有している。硬貨入出金部３４０は、硬貨の入出金処理を行う機能を有している。
【００３８】
以上、本実施形態に係る現金処理装置１００の概要について説明した。以上に説明した現金処理装置１００が有する各構成は、例えば、以下に説明する第１の実施形態および第２の実施形態それぞれに係る現金処理装置１００が前提として有している。
【００３９】
（１．第１の実施形態）
続いて、第１の実施形態について説明する。
【００４０】
図３は、第１の実施形態に係る現金処理装置１００の紙幣処理装置２００が有する分離集積部の斜視図である。図４は、第１の実施形態に係る分離集積部の上面図である。図５は、第１の実施形態に係る分離集積部の側面図である。図３に示すように、分離集積部は、ピッカローラ１２、シャフト１２ａ（第３の回転軸）、フィードローラ１３、シャフト１３ａ（第２の回転軸）、分離ローラ１４、シャフト１４ａ（第１の回転軸）、搬送ローラ１５、アクチュエータ１６、駆動ベルト１７、スプリング１８、ステージ１９（媒体集積部）、スプリング２０、圧着ローラ２３および走行ガイド３１を有している。
【００４１】
アクチュエータ１６は、ピッカローラ１２が軸支されるシャフト１２ａを駆動するためのモータなどによって構成される。シャフト１２ａは、アクチュエータ１６から駆動力が入力されると、その駆動力に従って回転するように構成されている。ピッカローラ１２は、シャフト１２ａに軸支されており、ステージ１９に集積された紙幣を繰り出す繰り出し部の例として機能する。具体的に、ステージ１９に集積された紙幣は、スプリング２０によってピッカローラ１２に押し付けられ、ピッカローラ１２の回転動作によって繰り出される。
【００４２】
駆動ベルト１７は、シャフト１２ａの回転駆動力をシャフト１３ａに伝達する駆動伝達手段の例として機能する。なお、本実施形態においては、駆動伝達手段の例として駆動ベルト１７が用いられる例を主に説明する。しかし、駆動伝達手段は駆動ベルト１７に限定されない。例えば、駆動伝達手段として、駆動ベルト１７の代わりに、ギア列が用いられてもよいし、チェーンが用いられてもよい。
【００４３】
ここで、図３および図４に示すように、シャフト１３ａは、羽根車２２と対向する位置を避けて配置されている（羽根車２２を避けて設けられている）。そして、フィードローラ１３は、シャフト１３ａに軸支されており、分離ローラ１４と対向する位置に設けられている。フィードローラ１３は、ピッカローラ１２によって繰り出された紙幣を、シャフト１３ａを中心とした回転動作によって分離ローラ１４との間で挟持しながら送り出す。
【００４４】
本実施形態においては、図３および図４に示すように、シャフト１３ａは、２つに分割されており、フィードローラ１３は、２つに分割されたシャフト１３ａそれぞれに軸支されている場合を想定する。しかし、シャフト１３ａの構成は、かかる例に限定されない。例えば、シャフト１３ａは、３つ以上に分割されていてもよいし、分割されておらず、１本であってもよい。
【００４５】
また、シャフト１３ａの両端は、走行ガイド３１に設けられた穴３１ａに保持されており、Ｅ型止め輪などの締結金具３２によって穴３１ａから容易に抜けない構造となっている。より具体的に、走行ガイド３１には、走行ガイド３１の一部が折り曲げられた固定部３３が設けられており、シャフト１３ａの両端は、固定部３３に設けられた穴３１ａに固定されている。また、走行ガイド３１には、フィードローラ１３および搬送ローラ１５が突出する貫通穴３４が設けられ、羽根車２２が突出する貫通穴３５が設けられている。
【００４６】
搬送ローラ１５は、シャフト１３ａに軸支されており、紙幣を搬送する搬送部の例として機能する。より具体的には、搬送ローラ１５は、フィードローラ１３と分離ローラ１４との間で挟持されながら送り出された紙幣を、シャフト１３ａを中心とした回転動作によって圧着ローラ２３との間で挟持しながら送り出す。
【００４７】
分離ローラ１４は、シャフト１４ａに軸支されており、複数の紙幣が重なって送り出されないようにするために、紙幣に一定の負荷を与える。具体的には、分離ローラ１４は、スプリング１８によって対向するフィードローラ１３に押し付けられており、フィードローラ１３から受ける摩擦力によって回転する。
【００４８】
分離ローラ１４が軸支されるシャフト１４ａには、分離ローラ１４の回転方向を片方向に規制するための構造物（ワンウェイクラッチ２１など）が設けられている。本実施形態においては、図３および図５に示すように、分離ローラ１４が、紙幣の分離時には回転せず、紙幣の集積時のみＡ方向に回転するように、ワンウェイクラッチ２１によって規制される場合を主に想定する。
【００４９】
分離ローラ１４が軸支されるシャフト１４ａには、羽根車２２が設けられている。羽根車２２は、シャフト１４ａの外周面に設けられた４枚の羽根を有しており、４枚の羽根によって紙幣を叩いてステージ１９に紙幣を集積させる。これによって、次に分離集積部に搬送されてくる紙幣の集積空間がより確実に確保され得る。羽根車２２が有する羽根の枚数は限定されない。例えば、羽根車２２は、シャフト１４ａの外周面に設けられた１または複数の羽根を有していればよい。羽根車２２は、シャフト１４ａに軸支される分離ローラ１４を挟むように分離ローラ１４の両側に設けられている。また、羽根車２２は、２つに分割されたシャフト１３ａそれぞれの両側に（計４つ）設けられている。
【００５０】
ここで、比較例について説明する。図９は、比較例に係る分離集積部の斜視図である。図１０は、比較例に係る分離集積部の上面図である。図１１は、比較例に係る分離集積部の側面図である。図９および図１０に示すように、比較例においては、フィードローラ１３を軸支するシャフト１３ａが、羽根車２２と対向する位置に配置されている。なお、比較例においては、シャフト１２ａの回転駆動力をシャフト１３ａに伝達する駆動伝達手段の例として、ギア列２４が用いられている。
【００５１】
比較例においては、分離集積部を小型化するために、羽根車２２の回転径を変えずに羽根車２２とフィードローラ１３を軸支するシャフト１３ａを近づけた場合、紙幣の集積時に羽根車２２が回転動作を行うと、羽根車２２が回転動作中にフィードローラ１３を軸支するシャフト１３ａに接触してしまうおそれがある。図１０を参照すると、シャフト１３ａと羽根車２２との接触部Ｂが示されている。羽根車２２がフィードローラ１３を軸支するシャフト１３ａに接触した場合、羽根車２２が紙幣後端を叩く性能が低下して紙幣の集積性能が低下してしまうおそれがある。
【００５２】
分離集積部の小型化の例として、フィードローラ１３および分離ローラ１４の少なくともいずれか一方の径を小さくすることが想定される。しかし、フィードローラ１３と分離ローラ１４とが接する必要があるために、フィードローラ１３および分離ローラ１４の少なくともいずれか一方の径を小さくした場合、分離ローラ１４と同軸上にある羽根車２２とフィードローラ１３を軸支するシャフト１３ａとが近づいてしまい、羽根車２２が回転動作中にフィードローラ１３を軸支するシャフト１３ａに接触してしまうおそれがある。
【００５３】
図３〜図５に戻って第１の実施形態についての説明に戻る。第１の実施形態においては、図３および図４に示すように、シャフト１３ａは、羽根車２２と対向する位置を避けて配置されている（例えば、シャフト１３ａは、２つに分割されて羽根車２２と対向する位置を避けて配置されている）。そして、フィードローラ１３は、シャフト１３ａに軸支されており、分離ローラ１４と対向する位置に設けられている。
【００５４】
したがって、第１の実施形態においては、分離集積部を小型化するために、羽根車２２の回転径を変えずに羽根車２２とフィードローラ１３を軸支するシャフト１３ａを近づけた場合、紙幣の集積時に羽根車２２が回転動作を行っても、羽根車２２が回転動作中にフィードローラ１３を軸支するシャフト１３ａに接触せずに済む。そのため、第１の実施形態においては、羽根車２２が紙幣後端を叩く性能の低下を防ぎ、紙幣の集積性能の低下を防ぐことが可能である。
【００５５】
分離集積部の小型化の例として、フィードローラ１３および分離ローラ１４の少なくともいずれか一方の径を小さくすることが想定される。上記したように、フィードローラ１３と分離ローラ１４とが接する必要があるために、フィードローラ１３および分離ローラ１４の少なくともいずれか一方の径を小さくした場合、分離ローラ１４と同軸上にある羽根車２２とフィードローラ１３を軸支するシャフト１３ａとが近づくが、羽根車２２が回転動作中にフィードローラ１３を軸支するシャフト１３ａに接触するおそれがない。
【００５６】
以上において、第１の実施形態について説明した。
【００５７】
（２．第２の実施形態）
続いて、第２の実施形態について説明する。以下では、第２の実施形態に係る分離集積部のうち、第１の実施形態に係る分離集積部が有する構成と異なる構成について主に説明し、第１の実施形態に係る分離集積部が有する構成と共通する構成についての説明は省略する。
【００５８】
図６は、第２の実施形態に係る現金処理装置１００の紙幣処理装置２００が有する分離集積部の斜視図である。図７は、第２の実施形態に係る分離集積部の上面図である。図８は、第２の実施形態に係る分離集積部の側面図である。
【００５９】
ここで、図３に示すように、第１の実施形態においては、ピッカローラ１２が、ステージ１９に集積された紙幣を繰り出す繰り出し部の例として機能する例を説明した。第２の実施形態においては、図６に示すように、駆動伝達手段の例としての駆動ベルト１７の外周面が、ステージ１９に集積された紙幣を繰り出す繰り出し部の例として機能する。その代わりに、第１の実施形態に係るピッカローラ１２の一部が、第２の実施形態においては削除されている。
【００６０】
なお、図６に示した例では、第１の実施形態に係るピッカローラ１２の他の一部が、第２の実施形態において残されている。しかし、第２の実施形態においては、ピッカローラ１２が存在しなくてもよい。また、図６に示した例では、駆動ベルト１７の外周面の全部が繰り出し部として機能する場合を説明するが、駆動ベルト１７の外周面の一部が繰り出し部として機能してもよい。
【００６１】
さらに、図３に示すように、第１の実施形態においては、搬送ローラ１５が、紙幣を搬送する搬送部の例として機能する例を説明した。第２の実施形態においては、図６に示すように、駆動伝達手段の例としての駆動ベルト１７の外周面が、紙幣を搬送する搬送部の例として機能する。その代わりに、第１の実施形態に係る搬送ローラ１５が、第２の実施形態においては削除されている。
【００６２】
なお、図６に示した例では、第１の実施形態に係る搬送ローラ１５の全部が、第２の実施形態において削除されている。しかし、第２の実施形態においては、第１の実施形態に係る搬送ローラ１５の一部が残されていてもよい。また、図６に示した例では、駆動ベルト１７の外周面の全部が搬送部として機能する場合を説明するが、駆動ベルト１７の外周面の一部が搬送部として機能してもよい。
【００６３】
駆動ベルト１７の外周面のうち、ステージ１９に集積された紙幣を繰り出す繰り出し部として機能する面は、ある程度以上の摩擦係数を有する素材（例えば、ゴム素材など）からなることが望ましい（例えば、摩擦係数が１以上であることが望ましい）。駆動ベルト１７の外周面のうち、紙幣を搬送する搬送部として機能する面も、ある程度以上の摩擦係数を有する素材（例えば、ゴム素材など）からなることが望ましい（例えば、摩擦係数が１以上であることが望ましい）。図６に示した例では、駆動ベルト１７の外周面全体が、繰り出し部および搬送部として機能する。
【００６４】
以上に説明したように、第２の実施形態においては、駆動伝達手段の例としての駆動ベルト１７の外周面が、ステージ１９に集積された紙幣を繰り出す繰り出し部の例として機能する。その代わりに、ピッカローラ１２の一部または全部が不要となる。したがって、第２の実施形態においては、分離集積部に必要な部品数を削減することが可能となるという効果が期待される。
【００６５】
また、第２の実施形態においては、搬送ローラ１５が、紙幣を搬送する搬送部の例として機能する。その代わりに、搬送ローラ１５の一部または全部が不要となる。したがって、第２の実施形態においては、分離集積部に必要な部品数を削減することが可能となるという効果が期待される。
【００６６】
以上において、第２の実施形態について説明した。
【００６７】
（３．まとめ）
第１の実施形態によれば、シャフト１４ａに軸支され、媒体を１枚ずつ分離して送り出す分離ローラ１４と、シャフト１４ａの外周面に設けられた１または複数の羽根を有し、１または複数の羽根によって紙幣を叩いてステージ１９に紙幣を集積させる羽根車２２と、羽根車２２と対向する位置を避けて配置されたシャフト１３ａに軸支され、分離ローラ１４と対向する位置に設けられたフィードローラ１３と、を備える、紙幣処理装置２００が提供される。
【００６８】
かかる構成によれば、分離集積部を小型化するために、羽根車２２の回転径を変えずに羽根車２２とフィードローラ１３を軸支するシャフト１３ａを近づけた場合、紙幣の集積時に羽根車２２が回転動作を行っても、羽根車２２が回転動作中にフィードローラ１３を軸支するシャフト１３ａに接触せずに済む。そのため、第１の実施形態においては、羽根車２２が紙幣後端を叩く性能の低下を防ぎ、紙幣の集積性能の低下を防ぐことが可能である。
【００６９】
分離集積部の小型化の例として、フィードローラ１３および分離ローラ１４の少なくともいずれか一方の径を小さくすることが想定される。上記したように、フィードローラ１３と分離ローラ１４とが接する必要があるために、フィードローラ１３および分離ローラ１４の少なくともいずれか一方の径を小さくした場合、分離ローラ１４と同軸上にある羽根車２２とフィードローラ１３を軸支するシャフト１３ａとが近づくが、羽根車２２が回転動作中にフィードローラ１３を軸支するシャフト１３ａに接触するおそれがない。
【００７０】
第２の実施形態によれば、ステージ１９に集積された紙幣を繰り出す繰り出し部が、駆動ベルト１７の外周面の一部または全部を含む。したがって、第２の実施形態においては、分離集積部に必要な部品数を削減することが可能となるという効果が期待される。また、第２の実施形態によれば、紙幣を搬送する搬送部が、駆動ベルト１７の外周面の一部または全部を含む。したがって、第２の実施形態においては、分離集積部に必要な部品数を削減することが可能となるという効果が期待される。
【００７１】
（４．変形例の説明）
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７２】
１２    ピッカローラ
１２ａ  シャフト
１３    フィードローラ
１３ａ  シャフト
１４    分離ローラ
１４ａ  シャフト
１５    搬送ローラ
１６    アクチュエータ
１７    駆動ベルト
１８    スプリング
１９    ステージ
２０    スプリング
２１    ワンウェイクラッチ
２２    羽根車
２３    圧着ローラ
２４    ギア列
３１    走行ガイド
３１ａ  穴
３２    締結金具
１００  現金処理装置
１６０  制御部
１７０  記憶部
１８０  通信部
２００  紙幣処理装置
２２０  操作表示部
２２１  表示部
２２２  操作部
２３０  紙幣入出金部
２３２  シャッタ
３００  硬貨処理装置
３１０  硬貨入金口
３２０  硬貨出金口
３３０  リジェクト口
３４０  硬貨入出金部
４００  ホストコンピュータ
５００  ネットワーク
【図１】
2018190330.tif 000003
【図２】
2018190330.tif 000004
【図３】
2018190330.tif 000005
【図４】
2018190330.tif 000006
【図５】
2018190330.tif 000007
【図６】
2018190330.tif 000008
【図７】
2018190330.tif 000009
【図８】
2018190330.tif 000010
【図９】
2018190330.tif 000011
【図１０】
2018190330.tif 000012
【図１１】
2018190330.tif 000013